(57)【特許請求の範囲】
【請求項１】
肌対向面側に配された表面シートと、非肌対向面側に配された裏面シートと、これら両シート間に配された縦長の吸収体とを備えた吸収性物品であって、
前記吸収体は、吸収ポリマーを含む吸収性コアを有し、
前記吸収性コアは、相対的に坪量が高い凸状の複数の凸部及び各該凸部を囲む相対的に坪量が低い溝部からなるブロック構造が腹側部から背側部に亘って規則的に縦方向及び幅方向に複数配されたブロック領域と、該ブロック領域の外周を囲む非ブロック領域とを有しており、
前記非ブロック領域における前記ブロック領域の縦方向に沿う側縁よりも幅方向外方の非ブロック領域側部は、平面視して、該非ブロック領域側部の背側部又は腹側部の面積が、該非ブロック領域側部の股間部の面積よりも大きく、
前記非ブロック領域側部は、該非ブロック領域側部の腹側部の幅が該非ブロック領域側部の背側部の幅よりも広く、
前記ブロック領域は、該ブロック領域の腹側部及び背側部それぞれの幅が該ブロック領域の股間部の幅より広い吸収性物品。
【請求項２】
肌対向面側に配された表面シートと、非肌対向面側に配された裏面シートと、これら両シート間に配された縦長の吸収体とを備えた吸収性物品であって、
前記吸収体は、吸収ポリマーを含む吸収性コアを有し、
前記吸収性コアは、相対的に坪量が高い凸状の複数の凸部及び各該凸部を囲む相対的に坪量が低い溝部からなるブロック構造が腹側部から背側部に亘って規則的に縦方向及び幅方向に複数配されたブロック領域と、該ブロック領域の外周を囲む非ブロック領域とを有しており、
前記非ブロック領域における前記ブロック領域の縦方向に沿う側縁よりも幅方向外方の非ブロック領域側部は、平面視して、該非ブロック領域側部の背側部又は腹側部の面積が、該非ブロック領域側部の股間部の面積よりも大きく、
前記吸収性コアは該吸収性コアの腹側部の幅が該吸収性コアの背側部の幅よりも広く、
前記ブロック領域は該ブロック領域の腹側部の幅と該ブロック領域の背側部の幅とが同じであり、
前記ブロック領域は、該ブロック領域の腹側部及び背側部それぞれの幅が該ブロック領域の股間部の幅より広い吸収性物品。
【請求項３】
前記溝部は、吸収性物品の縦方向に延びる複数の縦溝と横方向に延びる複数の横溝とからなり、
前記複数の横溝の内の１本は、前記吸収性物品を縦方向に２つ折りする際に形成される折り線と同じ位置に配されている請求項１又は２に記載の吸収性物品。
【請求項４】
前記非ブロック領域側部は、平面視して、該非ブロック領域側部の背側部及び腹側部それぞれの面積が、該非ブロック領域側部の股間部の面積よりも大きい請求項１〜３の何れか１項記載の吸収性物品。
【請求項５】
前記非ブロック領域側部の幅は、前記腹側部では、前記吸収性コアの全幅の５％以上３５％以下であり、前記背側部では、前記吸収性コアの全幅の５％以上３５％以下であり、前記股間部では、前記吸収性コアの全幅の５％以上３５％以下である請求項１〜４の何れか１項記載の吸収性物品。
【請求項６】
前記ブロック領域の最外周を囲む前記溝部の角部が丸みを帯びている請求項１〜５の何れか１項記載の吸収性物品。
【請求項７】
前記吸収体は、前記吸収性コアを包む被覆材を有しており、
前記吸収性コアと前記被覆材とは接着剤を介して固定されており、
前記被覆材における前記吸収性コアの縦方向に沿う側縁よりも幅方向外方の被覆材側部は、該被覆材側部どうしが前記接着剤を介して固定されている請求項１〜６の何れか１項記載の吸収性物品。
【請求項８】
前記吸収性コアの非肌対向面側が凹凸のあるブロック構造であり、前記吸収性コアの肌対向面側が平坦である請求項１〜７の何れか１項記載の吸収性物品。
【発明の詳細な説明】
【技術分野】
【０００１】
本発明は、使い捨ておむつ等の吸収性物品に関する。
【背景技術】
【０００２】
従来、平面方向に延設された溝が設けられたブロック状の吸収体（吸収性コア）を用いた吸収性物品が知られている（特許文献１，２参照）。特許文献１に記載の吸収性物品の備える吸収体には、長手方向略中央部から腹側部と背側部に延在する縦エンボス凹部が、幅方向に間隔を空けて複数本配されている。このような吸収体を備えていると、縦エンボス凹部により体液が拡散され易く、使用中の体液の吸収性が向上する。
【０００３】
しかし、特許文献１に記載の吸収体の有する縦エンボス凹部は、エンボス加工により形成されているため、該縦エンボス凹部部分が高密度となっており、吸収体全体の剛性が高まってしまう。
【０００４】
それに対し、特許文献２に記載の使い捨ておむつの備える吸収性コアは、前後方向へ延びる仮想線に沿って完全に分割されており、更に、該仮想線と直交する方向の仮想線に沿っても完全に分割されて形成されている。このように吸収性コアを完全に分割して溝を形成しているので、使用中の体液の吸収性が向上すると共に、吸収性コア全体の剛性が低くなっており柔軟性が向上する。
【先行技術文献】
【特許文献】
【０００５】
【特許文献１】特開２００５−７３９２１号公報
【特許文献２】特開平１１−２１６１６１号公報
【発明の概要】
【発明が解決しようとする課題】
【０００６】
しかし、特許文献２に記載の吸収性物品の吸収体は、吸収性コアを完全に分割して溝を形成しているので、吸収性コアの強度が著しく低下しており、体液吸収後に吸収性コアの形状が崩れてしまう。
【０００７】
従って、本発明は、前述した従来技術が有する欠点を解消し得る吸収体を備えた吸収性物品を提供することに関するものである。
【課題を解決するための手段】
【０００８】
本発明は、肌対向面側に配された表面シートと、非肌対向面側に配された裏面シートと、これら両シート間に配された縦長の吸収体とを備えた吸収性物品であって、前記吸収体は、吸収ポリマーを含む吸収性コアを有し、前記吸収性コアは、相対的に坪量が高い凸状の複数の凸部及び各該凸部を囲む相対的に坪量が低い溝部からなるブロック構造が腹側部から背側部に亘って規則的に縦方向及び幅方向に複数配されたブロック領域と、該ブロック領域の外周を囲む非ブロック領域とを有しており、前記非ブロック領域における前記ブロック領域の縦方向に沿う側縁よりも幅方向外方の非ブロック領域側部は、平面視して、該非ブロック領域側部の背側部又は腹側部の面積が、該非ブロック領域側部の股間部の面積よりも大きい吸収性物品を提供するものである。
【発明の効果】
【０００９】
本発明の吸収性物品によれば、使用中の体液の吸収性が向上し、吸収体全体の柔軟性が向上していると共に、体液吸収後の吸収体の形状保持性が向上する。
【図面の簡単な説明】
【００１０】
【図１】図１は、本発明の第１実施形態である展開型の使い捨ておむつの斜視図である。
【図２】図２は、図１に示す使い捨ておむつを表面シート側から見た一部破断平面図である。
【図３】図３は、図２のＩ−Ｉ線断面図である。
【図４】図４は、図１に示す使い捨ておむつの有する吸収性コアを裏面シート側から見た平面図である。
【図５】図５は、本発明の第１実施形態である展開型の使い捨ておむつに用いる吸収体の製造装置の一例を示す概略図である。
【図６】図６は、図５に示す回転ドラムにおける外周面側の一部（凹部）の幅方向に沿った模式断面図である。
【図７】図７は、図５に示す回転ドラムの凹部に吸収性材料が堆積した状態を示す模式断面図である。
【図８】図８は、本発明の第２実施形態である展開型の使い捨ておむつの斜視図である。
【図９】図９は、図８に示す使い捨ておむつの有する吸収性コアを裏面シート側から見た平面図である。
【図１０】図１０は、本発明の実施形態である使い捨ておむつの有する他の吸収性コアを裏面シート側から見た平面図である。
【図１１】図１１は、本発明の実施形態である使い捨ておむつの有する他の吸収性コアを裏面シート側から見た平面図である。
【発明を実施するための形態】
【００１１】
以下、本発明の吸収性物品を、その好ましい実施形態に基づき、図１〜図４を参照しながら説明する。図１には本発明の第１実施形態である展開型の使い捨ておむつの斜視図が示されており、図２には図１に示す使い捨ておむつを表面シート側から見た一部破断平面図が示されており、図３には図２のＩ−Ｉ線断面図が示されている。また、図４には図１に示す使い捨ておむつの有する吸収性コアの平面図が示されている。
【００１２】
第１実施形態の使い捨ておむつ１Ａ（以下、「おむつ１Ａ」ともいう。）は、図１〜図３に示すように、肌対向面側に配された表面シート２と、非肌対向面側に配された裏面シート３と、これら両シート２，３間に配された縦長の吸収体４とを備えている。おむつ１Ａは、図２に示すように、縦方向に延びる中心線ＣＬに対して左右対称に形成されている。
【００１３】
おむつ１Ａは、図２に示すように、縦方向（以下「Ｙ方向」ともいう。Ｙ方向：中心線ＣＬに平行な方向をいう。）に、腹側部Ａ、背側部Ｂ及びこれらＡ，Ｂの間に位置する股間部Ｃを有している。腹側部Ａは、おむつ着用時に着用者の腹側に位置する部位であり、背側部Ｂは、着用者の背側に位置する部位であり、股間部Ｃは、着用者の股下に位置する部位である。股間部Ｃは、おむつ１Ａの縦方向（Ｙ方向）中央部に位置している。尚、縦方向（Ｙ方向）に直交する方向を、おむつ１Ａの横方向（以下「Ｘ方向」ともいう。）として説明する。
本明細書において、「肌対向面」とは、おむつ１Ａを構成する表面シート２などの各部材の表裏両面のうち、着用時に着用者の肌側に配される面であり、「非肌対向面」とは、表面シート２などの各部材の表裏両面のうち、着用時に着用者の肌側とは反対側に向けられる面である。
【００１４】
おむつ１Ａは、図２に示すように、腹側部Ａの左右両側縁及び背側部Ｂの左右両側縁それぞれが股間部Ｃの左右両側縁よりも横方向（Ｘ方向）外方に延出している。そして、股間部Ｃの左右両側縁が横方向（Ｘ方向）内方に向かって円弧状に湾曲しており、全体として縦方向（Ｙ方向）中央部が内方に括れた形状を有している。表面シート２及び裏面シート３は、それぞれ、吸収体４の左右両側縁及び前後両端縁から外方に延出している。表面シート２は、図３に示すように、その横方向（Ｘ方向）の寸法が、裏面シート３の横方向（Ｘ方向）の寸法より小さくなっている。表面シート２及び裏面シート３はそれぞれ、吸収体４の周縁から外方に延出した延出部において直接的に又は他の部材を介在させて互いに接合されており、吸収体４を挟持・固定している。
【００１５】
おむつ１Ａは、図１，図２に示すように、いわゆる展開型のおむつであり、背側部Ｂの左右両側縁部に一対のファスニングテープ７，７が設けられ、腹側部Ａの外表面（非肌対向面）に、該ファスニングテープ７，７を止着させるランディングテープ８が設けられている。図２に示すように、おむつ１Ａの縦方向（Ｙ方向）に沿う両側部それぞれには、Ｙ方向に伸長状態で固定された弾性部材６１を有する立体ギャザー形成用シート６２が、表面シート２の側部に配され固定されており、これによって一対の立体ギャザー６，６（図１，図３参照）が形成される。また、図２に示すように、おむつ１Ａの縦方向（Ｙ方向）に沿う両側部それぞれには、レッグギャザー形成用の複数本のレッグ弾性部材６３がＹ方向に伸長状態に配されており、レッグ弾性部材６３の収縮によりレッグギャザーが形成される。
【００１６】
吸収体４は、図２，図３に示すように、吸収ポリマーを含む吸収性コア４１を有しており、おむつ１Ａにおいては、吸収性コア４１を包む被覆材４２も有している。吸収体４は、おむつ１Ａにおいては、縦方向（Ｙ方向）に長い液保持性の吸収性コア４１を、液透過性の親水性シートである被覆材４２で被覆して形成されている。
【００１７】
吸収性コア４１は、図２，図４に示すように、相対的に坪量が高い凸状の複数の凸部４３及び各凸部４３を囲む相対的に坪量が低い溝部４４からなるブロック構造４００が腹側部Ａから背側部Ｂに亘って規則的に縦方向（Ｙ方向）及び横方向（Ｘ方向）に複数配されたブロック領域４１１と、ブロック領域４１１の外周を囲む非ブロック領域４１２とを有している。非ブロック領域４１２は、高坪量の凸部４３と同様に、相対的に坪量が高くなっている。一般的に、吸収性物品（例えば、おむつ）における腹側部Ａ、背側部Ｂ及び股間部Ｃは、吸収性コアにおける腹側部Ａ、背側部Ｂ及び股間部Ｃとそれぞれ略一致しているが、平面視して縦方向（Ｙ方向）中央部が内方に括れた形状を有する吸収性コアの腹側部Ａ、背側部Ｂ及び股間部Ｃを明確に区別する場合には、以下の基準により区別する。即ち、図４に示すように、縦方向（Ｙ方向）に沿う吸収性コアの両側縁において、最も内方に括れた位置（前記両側縁が最も近づいた位置）を通る側縁どうしが略平行となっている部分（前記両側縁が最も近づいた位置での間隔Ｗを基準に、最も近づいた位置から前方及び後方それぞれに該間隔Ｗの１．１倍の間隔となるまでの領域）を吸収性コアの股間部Ｃとし、前記両側縁の間隔が前記間隔Ｗの１．１倍より大きいファスニングテープ７側（後方側）の領域を吸収性コアの背側部Ｂとし、前記両側縁の間隔が前記間隔Ｗの１．１倍より大きいランディングテープ８側（前方側）の領域を吸収性コアの腹側部Ａとして区分する。これは、吸収性コアの股間部Ｃを、最も内側に括れたところの着用者の股間部に挟まれて横方向（Ｘ方向）の圧縮を大きく受ける部位とし、股間部Ｃに対して前方側に吸収性コア幅が広がり横方向の圧縮を受けにくい部位を腹側部Ａとし、さらに後方側に吸収性コア幅が広がり横方向の圧縮を受けにくい部位を背側部Ｂとして、それぞれの部位に必要とされる柔軟性と液拡散性および液保持性を与えるために区分けしたものである。
【００１８】
吸収性コア４１の溝部４４は、おむつ１Ａにおいては、図２，図４に示すように、縦方向（Ｙ方向）に延びる縦溝４４Ｙと、横方向（Ｘ方向）に延びる横溝４４Ｘとからなる。従って、吸収性コア４１のブロック領域４１１は、おむつ１Ａにおいては、図２，図４に示すように、縦方向（Ｙ方向）に延びる縦溝４４Ｙと、横方向（Ｘ方向）に延びる横溝４４Ｘと、縦溝４４Ｙ及び横溝４４Ｘで区画された部位（格子の目の位置）に配され且つ溝４４Ｙ及び横溝４４Ｘそれぞれの部位より坪量の高い複数の縦長の高坪量の凸部４３とからなるブロック構造４００が、腹側部Ａから背側部Ｂに亘って規則的に縦方向（Ｙ方向）及び横方向（Ｘ方向）に連続して配されて形成されている。尚、おむつ１Ａにおいては、溝部４４を構成する縦溝４４Ｙは、図２，図４に示すように、縦方向（Ｙ方向）に平行に延びているが、縦方向（Ｙ方向）に延びていれば曲線であってもよく、傾斜して延びていてもよい。溝部４４を構成する横溝４４Ｘも同様である。横方向（Ｘ方向）に延びる複数の横溝４４Ｘの内の１本は、折り目部分が薄くなりコンパクトになる観点、及び折り癖が付き難く着用時のフィット性が向上する観点から、おむつ１Ａを縦方向（Ｙ方向）に２つ折りする際に形成される横方向（Ｘ方向）に延びる折り線と同じ位置に配されていることが好ましい。
【００１９】
本発明において、非ブロック領域４１２におけるブロック領域４１１の縦方向（Ｙ方向）に沿う側縁４１１ｙよりも幅方向（Ｘ方向）外方の非ブロック領域側部４１２ｓは、平面視して、非ブロック領域側部４１２ｓの背側部Ｂの面積又は腹側部Ａの面積が、非ブロック領域側部４１２ｓの股間部Ｃの面積よりも大きく形成されている。おむつ１Ａの吸収性コア４１について、以下、具体的に説明する。おむつ１Ａの吸収性コア４１は、図４に示すように、腹側部Ａにおける全体の幅Ｗａが背側部Ｂにおける全体の幅Ｗｂと同じであり、腹側部Ａにおけるブロック領域４１１の幅Ｗａ１が背側部Ｂにおけるブロック領域４１１の幅Ｗｂ１とで同じである。即ち、図２，図４に示すように、ブロック領域４１１は、縦方向（Ｙ方向）に長い矩形状に形成されており、ブロック領域４１１の腹側部Ａの幅Ｗａ１と背側部Ｂの幅Ｗｂ１とが同じとなっている。ブロック領域４１１の外周に亘って配された非ブロック領域４１２は、図２，図４に示すように、腹側部Ａにおける両側縁及び背側部Ｂにおける両側縁それぞれが股間部Ｃにおける両側縁よりも横方向（Ｘ方向）外方に同じ長さで延出しており、全体として股間部Ｃが内方に括れた形状に形成されている。
【００２０】
吸収性コア４１のブロック領域４１１について更に具体的に説明すると、おむつ１Ａにおいては、図４に示すように、縦溝４４Ｙ及び横溝４４Ｘで区画された凸部４３が、規則的に横方向（Ｘ方向）に５個配されたブロック構造が、腹側部Ａから背側部Ｂに亘って、規則的に縦方向（Ｙ方向）に１４行配されて形成されている。おむつ１Ａのブロック領域４１１においては、図４に示すように、６本の縦溝４４Ｙが、それぞれ、腹側部Ａから背側部Ｂに亘って直線状に配されている。
【００２１】
おむつ１Ａの吸収性コア４１は、上述たように、図２，図４に示すように、ブロック構造４００が縦方向（Ｙ方向）に連続して配されて形成されたブロック領域４１１を有し、ブロック領域４１１の外周全周に亘って配された非ブロック領域４１２を有している。非ブロック領域４１２は、図４に示すように、ブロック領域４１１の縦方向（Ｙ方向）に沿う側縁４１１ｙよりも幅方向（Ｘ方向）外方に位置する非ブロック領域側部４１２ｓと、吸収性コア４１の縦方向（Ｙ方向）の端部における両側縁４１１ｙ，４１１ｙの間に位置する非ブロック領域端部４１２ｅとに区分される。さらに、非ブロック領域４１２の非ブロック領域側部４１２ｓは、図４に示すように、吸収性コアの腹側部Ａに位置する腹側の非ブロック領域側部４１２ｓａと、吸収性コアの背側部Ｂに位置する背側の非ブロック領域側部４１２ｓｂと、吸収性コアの股間部Ｃに位置する、腹側の非ブロック領域側部４１２ｓａと背側の非ブロック領域側部４１２ｓｂとの間に位置する股間の非ブロック領域側部４１２ｓｃとに区分される。そして、非ブロック領域４１２の非ブロック領域端部４１２ｅは、図４に示すように、吸収性コアの腹側部Ａに位置する腹側の非ブロック領域端部４１２ｅａと、吸収性コアの背側部Ｂに位置する背側の非ブロック領域端部４１２ｅｂとに区分される。おむつ１Ａにおいては、上述したように、非ブロック領域４１２が、図４に示すように、全体として股間部Ｃを内方に括れさせた形状に形成されており、吸収性コアの股間部Ｃの位置が、吸収性物品の腹側部Ａ側に寄っているので、背側の非ブロック領域側部４１２ｓｂの面積が、平面視して、股間の非ブロック領域側部４１２ｓｃの面積よりも大きく形成されている。
【００２２】
おむつ１Ａのブロック構造４００は、図２，図４に示すように、ブロック構造４００の最外周が溝部４４（横溝４４Ｘ，縦溝４４Ｙ）によって囲まれている。おむつ１Ａのブロック領域４１１は、図２，図４に示すように、ブロック構造４００が縦方向（Ｙ方向）に連続して配されて矩形状に形成されているので、４つの角部を有しており、ブロック領域４１１の最外周も溝部４４（横溝４４Ｘ，縦溝４４Ｙ）によって囲まれている。ブロック領域４１１の最外周を囲む溝部４４（横溝４４Ｘ，縦溝４４Ｙ）の角部、即ち、ブロック領域４１１の４つの角部それぞれに位置する溝部４４（横溝４４Ｘ，縦溝４４Ｙ）の交差部は、角部において体液の流速を一時的に遅くすることができ体液を分配し易くし吸収性コアを有効に活用できる観点から、丸みを帯びていることが好ましく、外方に向けて凸の曲線を描く丸みを帯びていることがさらに好ましい。
【００２３】
吸収性コア４１は、使い捨ておむつ１Ａに用いられる場合においては、縦方向（Ｙ方向）の全長が、２５０ｍｍ以上５５０ｍｍ以下であり、横方向（Ｘ方向）の全幅が５０ｍｍ以上２００ｍｍ以下であることが好ましい。前記全長は最も長い位置で測定した値であり、前記全幅は最も広い位置で測定した値である。
非ブロック領域４１２は、使い捨ておむつ１Ａに用いられる場合においては、縦方向（Ｙ方向）の両端部それぞれの縦方向（Ｙ方向）の長さ（非ブロック領域端部４１２ｅａ，４１２ｅｂの幅）が、吸収性コア４１のＹ方向の全長の、１％以上、好ましくは２％以上の長さ、そして、２０％以下、好ましくは１０％以下の長さ、より具体的には、１％以上２０％以下の長さであることが好ましく、２％以上１０％以下の長さであることが更に好ましい。具体的に、非ブロック領域端部４１２ｅａ，４１２ｅｂの幅は、５ｍｍ以上８０ｍｍ以下であることが好ましい。非ブロック領域端部４１２ｅの幅は最も広い位置で測定した値である。
非ブロック領域４１２は、使い捨ておむつ１Ａに用いられる場合においては、縦方向（Ｙ方向）に沿う両側部それぞれの横方向（Ｘ方向）の長さ（非ブロック領域側部４１２ｓの幅）が、腹側部Ａ（非ブロック領域側部４１２ｓａ）では、吸収性コア４１のＸ方向の全幅の、５％以上、好ましくは１５％以上の長さ、そして、３５％以下、好ましくは２５％以下の長さ、より具体的には、５％以上３５％以下の長さであることが好ましく、１５％以上２５％以下の長さであることが更に好ましい。また、非ブロック領域側部４１２ｓの幅が、股間部Ｃ（非ブロック領域側部４１２ｓｃ）では、吸収性コア４１のＸ方向の全幅の、５％以上、好ましくは１５％以上の長さ、そして、３５％以下、好ましくは２５％以下の長さ、より具体的には、５％以上３５％以下の長さであることが好ましく、１５％以上２５％以下の長さであることが更に好ましい。また、非ブロック領域側部４１２ｓの幅が、背側部Ｂ（非ブロック領域側部４１２ｓｂ）では、吸収性コア４１のＸ方向の全幅の、５％以上、好ましくは１５％以上の長さ、そして、３５％以下、好ましくは２５％以下の長さ、より具体的には、５％以上３５％以下の長さであることが好ましく、１５％以上２５％以下の長さであることが更に好ましい。具体的に、両側部それぞれの横方向の長さとして、腹側の非ブロック領域側部４１２ｓａの幅は、１０ｍｍ以上４０ｍｍ以下であることが好ましく、股間の非ブロック領域側部４１２ｓｃの幅は、１０ｍｍ以上３０ｍｍ以下であることが好ましく、背側の非ブロック領域側部４１２ｓｂの幅は、１０ｍｍ以上４０ｍｍ以下であることが好ましい。非ブロック領域側部４１２ｓの幅は最も広い位置で測定した値である。
使い捨ておむつ１Ａに用いられる場合においては、腹側の非ブロック領域側部４１２ｓａの面積（両側部それぞれの面積）は、１０００ｍｍ2以上６０００ｍｍ2以下であることが好ましく、股間の非ブロック領域側部４１２ｓｃの面積（両側部それぞれの面積）は、５００ｍｍ2以上５０００ｍｍ2以下であることが好ましく、背側の非ブロック領域側部４１２ｓｂの面積（両側部それぞれの面積）は、１０００ｍｍ2以上６０００ｍｍ2以下であることが好ましい。
【００２４】
ブロック領域４１１は、使い捨ておむつ１Ａに用いられる場合においては、その縦方向（Ｙ方向）の長さが、吸収性コア４１のＹ方向の全長の、７０％以上、好ましくは８５％以上の長さ、そして、９８％以下、好ましくは９５％以下の長さ、より具体的には、７０％以上９８％以下の長さであることが好ましく、８５％以上９５％以下の長さであることが更に好ましい。
ブロック領域４１１は、使い捨ておむつ１Ａに用いられる場合においては、その横方向（Ｘ方向）の長さが、吸収性コア４１のＸ方向の全幅の、３０％以上、好ましくは５０％以上の長さ、そして、９０％以下、好ましくは７０％以下の長さ、より具体的には、３０％以上９０％以下の長さであることが好ましく、５０％以上７０％以下の長さであることが更に好ましい。
ブロック領域４１１は、使い捨ておむつ１Ａに用いられる場合においては、縦方向（Ｙ方向）の長さが１００ｍｍ以上５４０ｍｍ以下であり、横方向（Ｘ方向）の長さが２０ｍｍ以上１４０ｍｍ以下であることが好ましい。ブロック領域４１１の縦方向（Ｙ方向）の長さ及び横方向（Ｘ方向）の長さは最も長い位置で測定した値である。
【００２５】
ブロック領域４１１を構成する凸部４３及び溝部４４（横溝４４Ｘ，縦溝４４Ｙ）のサイズ・坪量等について更に詳述する。
凸部４３は、おむつ１Ａにおいては、図２，図４に示すように、平面視して、縦方向（Ｙ方向）に長い矩形状に形成されている。尚、おむつ１Ａにおいては、凸部４３を平面視して、矩形状に形成されているが、四隅が円弧状となっていてもよく、多角形状、楕円、それらの組み合わせ等であってもよい。
おむつ１Ａの凸部４３は、吸収性物品が例えば使い捨ておむつに用いられる場合においては、図４に示すように、その縦方向（Ｙ方向）の長さＬ１が、５ｍｍ以上、好ましくは１５ｍｍ以上、そして、３０ｍｍ以下、好ましくは２５ｍｍ以下、より具体的には、５ｍｍ以上３０ｍｍ以下であることが好ましく、１５ｍｍ以上２５ｍｍ以下であることが更に好ましい。また、その横方向（Ｘ方向）の長さＬ２が、３ｍｍ以上、好ましくは５ｍｍ以上、そして、２０ｍｍ以下、好ましくは１５ｍｍ以下、より具体的には、３ｍｍ以上２０ｍｍ以下であることが好ましく、５ｍｍ以上１５ｍｍ以下であることが更に好ましい。尚、長さＬ１，Ｌ２は、最も広い位置で測定した値である。
おむつ１Ａの溝部４４は、吸収性物品が例えば使い捨ておむつに用いられる場合においては、図４に示すように、横方向（Ｘ方向）に延びる線状の横溝４４Ｘの幅Ｌ３が、０．５ｍｍ以上、好ましくは１ｍｍ以上、そして、５ｍｍ以下、好ましくは３ｍｍ以下、より具体的には、０．５ｍｍ以上５ｍｍ以下であることが好ましく、１ｍｍ以上３ｍｍ以下であることが更に好ましい。また、縦方向（Ｙ方向）に延びる線状の縦溝４４Ｙの幅Ｌ４が、０．５ｍｍ以上、好ましくは１ｍｍ以上、そして、５ｍｍ以下、好ましくは３ｍｍ以下、より具体的には、０．５ｍｍ以上５ｍｍ以下であることが好ましく、１ｍｍ以上３ｍｍ以下であることが更に好ましい。尚、幅Ｌ３，Ｌ４は、吸収性コア４１の凹凸構造における凹部の底部の位置での測定値である。
【００２６】
横溝４４Ｘと縦溝４４Ｙとは、同じ厚みで形成されており、溝部４４（横溝４４Ｘ，縦溝４４Ｙ）の厚みは、凸部４３の厚みの３０％以上９０％以下であることが好ましい。具体的には、溝部４４（横溝４４Ｘ，縦溝４４Ｙ）の厚みは、１．５ｍｍ以上、好ましくは２．５ｍｍ以上、そして、４．５ｍｍ以下、好ましくは４．０ｍｍ以下、より具体的には、１．５ｍｍ以上４．５ｍｍ以下であることが好ましく、２．５ｍｍ以上４．０ｍｍ以下であることが更に好ましい。凸部４３の厚みは、２ｍｍ以上、好ましくは３ｍｍ以上、そして、８ｍｍ以下、好ましくは７ｍｍ以下、より具体的には、２ｍｍ以上８ｍｍ以下であることが好ましく、３ｍｍ以上７ｍｍ以下であることが更に好ましい。非ブロック領域４１２の厚みは、凸部４３の厚みと同様である。
尚、凸部４３、溝部４４（横溝４４Ｘ，縦溝４４Ｙ）及び非ブロック領域４１２の厚みは、所定のサイズにサンプルをカットし、５ｋＰａで測定部位を１０分間加圧し、除重後すぐに測定を行う。測定箇所は、１枚辺り腹側部、股間部、背側部の任意それぞれ１点以上を含む３点以上とし、おむつサンプル２枚（測定箇所６点以上）の平均で厚みを出す。例えばおむつ１を、鋭利なかみそりで、図２に示す縦方向（Ｙ方向）、又は横方向（Ｘ方向）に切断し、この切断されたサンプルの断面を測定する。肉眼にて測定し難い場合には、前記切断されたサンプルの断面を、例えば、マイクロスコープ（ＫＥＹＥＮＣＥ社製ＶＨＸ−１０００）を用いて２０〜１００倍の倍率で観察し、測定してもよい。
【００２７】
溝部４４（横溝４４Ｘ，縦溝４４Ｙ）は、吸収性物品が例えば使い捨ておむつに用いられる場合においては、柔軟性と吸収性を向上させる観点から、その坪量が、凸部４３の坪量の、３０％以上、好ましくは４０％以上、そして、９０％以下、好ましくは８０％以下、より具体的には、３０％以上９０％以下であることが好ましく、４０％以上８０％以下であることが更に好ましい。
具体的には、溝部４４（横溝４４Ｘ，縦溝４４Ｙ）は、その坪量が、１００ｇ／ｍ2以上、好ましくは１５０ｇ／ｍ2以上、そして、５００ｇ／ｍ2以下、好ましくは４００ｇ／ｍ2以下、より具体的には、１００ｇ／ｍ2以上５００ｇ／ｍ2以下であることが好ましく、１５０ｇ／ｍ2以上４００ｇ／ｍ2以下であることが更に好ましい。また、凸部４３は、その坪量が、３００ｇ／ｍ2以上、好ましくは３５０ｇ／ｍ2以上、そして、９００ｇ／ｍ2以下、好ましくは８００ｇ／ｍ2以下、より具体的には、３００ｇ／ｍ2以上９００ｇ／ｍ2以下であることが好ましく、３５０ｇ／ｍ2以上８００ｇ／ｍ2以下であることが更に好ましい。非ブロック領域４１２の坪量は、凸部４３の坪量と同様である。
凸部４３及び溝部４４（横溝４４Ｘ，縦溝４４Ｙ）の坪量は次のようにして測定される。
【００２８】
＜坪量の測定方法＞
凸部４３、溝部４４（横溝４４Ｘ，縦溝４４Ｙ）及び非ブロック領域４１２の坪量の測定方法は以下の通りである。
吸収性コア４１における凸部４３と溝部４４（横溝４４Ｘ，縦溝４４Ｙ）の境界線に沿ってフェザー社製片刃剃刀を用いて切断する。切断して得られた凸部４３の小片１０個をそれぞれ電子天秤(Ａ＆Ｄ社製電子天秤ＧＲ−３００、精度：小数点以下４桁)を用いて測定し、凸部４３の小片１個の平均重量を求める。求めた平均重量を凸部４３の小片１個当りの平均面積で除して凸部４３の坪量を算出する。非ブロック領域４１２の坪量も凸部４３の坪量と同様にして算出する。
次いで、凸部４３と溝部４４（縦溝４４Ｙ）の縦方向（Ｙ方向）に延びた境界線に沿って、長さ１００ｍｍ、幅は溝部４４（縦溝４４Ｙ）の幅の設計寸法に合わせて、フェザー社製片刃剃刀を用いて、細いストライプ状の溝部４４（縦溝４４Ｙ）の小片５個を切り出す。得られた小片５個をそれぞれ電子天秤(Ａ＆Ｄ社製電子天秤ＧＲ−３００、精度：小数点以下４桁)を用いて測定し、平均して溝部４４（縦溝４４Ｙ）の小片１個の平均重量を求める。求めた平均重量を溝部４４（縦溝４４Ｙ）の小片１個当たりの平均面積で除して溝部４４（縦溝４４Ｙ）の坪量を算出する。溝部４４（横溝４４Ｘ）についても、溝部４４（縦溝４４Ｙ）と同様にして坪量を算出する。
【００２９】
おむつ１Ａの吸収性コア４１においては、凸部４３及び非ブロック領域４１２は、溝部４４（横溝４４Ｘ，縦溝４４Ｙ）に比して同じかあるいは高密度に形成されている。
溝部４４（横溝４４Ｘ，縦溝４４Ｙ）は、吸収性物品が例えば使い捨ておむつに用いられる場合においては、液拡散性および液保持性を向上させる観点から、その密度が、凸部４３の密度の、５０％以上、好ましくは７５％以上、そして、１００％以下、好ましくは９５％以下、より具体的には、５０％以上１００％以下であることが好ましく、７５％以上９５％以下であることが更に好ましい。
具体的には、溝部４４（横溝４４Ｘ，縦溝４４Ｙ）は、その密度が、０．０５ｇ／ｃｍ3以上、好ましくは０．０７ｇ／ｃｍ3以上、そして、０．１５ｇ／ｃｍ3以下、好ましくは０．１３ｇ／ｃｍ3以下、より具体的には、０．０５ｇ／ｃｍ3以上０．１５ｇ／ｃｍ3以下であることが好ましく、０．０７ｇ／ｃｍ3以上０．１３ｇ／ｃｍ3以下であることが更に好ましい。また、凸部４３は、その密度が、０．０５ｇ／ｃｍ3以上、好ましくは０．０７ｇ／ｃｍ3以上、そして、０．１５ｇ／ｃｍ3以下、好ましくは０．１３ｇ／ｃｍ3以下、より具体的には、０．０５ｇ／ｃｍ3以上０．１５ｇ／ｃｍ3以下であることが好ましく、０．０７ｇ／ｃｍ3以上０．１３ｇ／ｃｍ3以下であることが更に好ましい。非ブロック領域４１２の密度は、凸部４３の密度と同様である。
凸部４３、非ブロック領域４１２及び溝部４４（横溝４４Ｘ，縦溝４４Ｙ）の密度は、上述した方法により求めた凸部４３、非ブロック領域４１２及び低密度部４４の坪量を、上述した方法により求めたそれぞれの厚みで除して算出される。
【００３０】
上述したように、図３に示すように、吸収性コア４１の凸部４３及び溝部４４（横溝４４Ｘ，縦溝４４Ｙ）は一体成形されており、非ブロック領域４１２も凸部４３及び溝部４４（横溝４４Ｘ，縦溝４４Ｙ）と一体成形されている。ここで「一体成形されている」とは、凸部４３、溝部４４（横溝４４Ｘ，縦溝４４Ｙ）及び非ブロック領域４１２が、接着剤や熱融着等の接合手段を介さずに互いに分離不可能に一体化されており、同一の材料から一体的に形成されていることを意味する。このように凸部４３、溝部４４（横溝４４Ｘ，縦溝４４Ｙ）及び非ブロック領域４１２が一体成形されていると、体液がスムーズに移動し得る連続性を有するようになる。このような吸収体４の製造方法については後で説明する。
【００３１】
また、吸収性コア４１の凹凸のあるブロック構造４００における表面シート２側に凹んだ凹部（溝）は、主として溝部４４（横溝４４Ｘ，縦溝４４Ｙ）により形成されており、吸収性コア４１のブロック構造４００における裏面シート３側に突出する凸部は、主として凸部４３及び非ブロック領域４１２により形成されている。ここで、「凹部は、主として溝部４４により形成される」とは、例えば溝部４４と凸部４３との境界付近の凸部４３が該凹部の一部を形成している場合を含む意味であり、同様に、「凸部は、主として凸部４３及び非ブロック領域４１２により形成される」とは、例えば凸部４３と溝部４４との境界付近の溝部４４が該凸部の一部を形成している場合を含む意味である。
【００３２】
また、おむつ１Ａの吸収性コア４１は、溝部４４が、図３に示すように、おむつ１Ａの厚み方向Ｔにおいて、表面シート２側（吸収体４の肌対向面側）に偏在している。おむつ１Ａの吸収性コア４１は、図３に示すように、吸収性コア４１の非肌対向面側が凹凸のあるブロック構造４００となり、吸収性コア４１の肌対向面側が平坦となっている。
【００３３】
おむつ１Ａにおいては、吸収性コア４１と吸収性コア４１を包む被覆材４２とは接着剤５を介して固定されている。このように固定された吸収体４は、表面シート２及び裏面シート３それぞれと接着剤を介して固定されている。特に、おむつ１Ａにおいては、図３に示すように、被覆材４２と吸収性コア４１の非肌対向面４１Ｕとが接着剤５により固定されており、被覆材４２と吸収性コア４１の肌対向面４１Ｔとが接着剤５により固定されており、被覆材４２における吸収性コア４１の縦方向（Ｙ方向）に沿う側縁４１ｙよりも幅方向（Ｘ方向）外方の被覆材側部４２ｓは、被覆材側部４２ｓどうしが接着剤５を介して固定されている。このように被覆材側部４２ｓどうしが接着剤５を介して固定されていると、吸収性コア４１の側部からの体液の漏れを防止することができ、吸収性コア４１の湿潤強度が高められ壊れの防止性を向上することができる。接着剤５は、おむつ１Ａの横方向（Ｘ方向）に間欠的に且つ縦方向（Ｙ方向）に一直線状に塗工されている。尚、おむつ１Ａにおいては、図３に示すように、１枚の被覆材４２の両側部を折り返して被覆材４２の側縁部どうしを重ねるようにして吸収性コア４１を包んでいるが、別々の２枚の被覆材を用いて吸収性コア４１を包んでいてもよい。
【００３４】
接着剤５は、おむつ１Ａにおいては、例えばビードガンを用いて横方向（Ｘ方向）に間欠的に且つ縦方向（Ｙ方向）に一直線状に塗工されており、全体視してストライプ状に塗工されている。横方向（Ｘ方向）に隣り合う接着剤５どうしの間隔は、０．５ｍｍ以上１５ｍｍ以下であることが好ましい。接着剤５の塗工の坪量（塗工量）は、０．５ｇ／ｍ2以上、好ましくは１ｇ／ｍ2以上、そして、１５ｇ／ｍ2以下、好ましくは１０ｇ／ｍ2以下、より具体的には、０．５ｇ／ｍ2以上１５ｇ／ｍ2以下であることが好ましく、１ｇ／ｍ2以上１０ｇ／ｍ2以下であることが更に好ましい。
【００３５】
また、おむつ１Ａにおいては、図３に示すように、吸収性コア４１の溝部４４（横溝４４Ｘ，縦溝４４Ｙ）と被覆材４２との間には空間９が形成されている。即ち、吸収体４には、吸収性コア４１の凹凸のあるブロック構造４００と吸収性コア４１を包む被覆材４２とにより形成される空間９が形成されている。上述したように、おむつ１Ａにおいては、図２，図３に示すように、溝部４４（横溝４４Ｘ，縦溝４４Ｙ）が吸収性コア４１の裏面シート３（非肌対向面）側に全体として格子状に形成され、格子の目の位置に凸部４３が配されており、溝部４４（横溝４４Ｘ，縦溝４４Ｙ）が凸部４３を取り囲むように形成されている。従って、おむつ１Ａにおいては、図２，図３に示すように、表面シート２側に凹んだ横溝４４Ｘと被覆材４２により形成される複数の空間９Ｘが、横溝４４Ｘに対応して横方向（Ｘ方向）にそれぞれ連続的に延びており、表面シート２側に凹んだ縦溝４４Ｙと被覆材４２により形成される複数の空間９Ｙが、縦溝４４Ｙに対応して縦方向（Ｙ方向）にそれぞれ連続的に延びている。
【００３６】
次に、おむつ１Ａの備える吸収体４、即ち、凸部４３（高密度）、非ブロック領域４１２（高密度）及び溝部４４（低密度）（横溝４４Ｘ，縦溝４４Ｙ）が一体成形された吸収性コア４１を備える吸収体４の製造方法を説明する。
図５には、吸収体４の製造方法の一実施態様及びそれに用いる製造装置が示されている。吸収体４の製造装置は、矢印Ｒ１方向に回転駆動される回転ドラム５０と、回転ドラム５０の外周面に吸収性コア４１の原料である吸収ポリマーを含む吸収性材料４５を供給するダクト６０と、回転ドラム５０の下流側の斜め下方に配置され、矢印Ｒ２方向に回転駆動されるトランスファーロール７０と、回転ドラム５０の周方向におけるダクト６０とトランスファーロール７０との間に配置されたバキュームボックス６５と、バキュームボックス６５と回転ドラム５０との間及びトランスファーロール７０と回転ドラム５０との間を通るように配された、シート状の通気性部材であるメッシュベルト７５と、トランスファーロール７０の下方に配されたバキュームコンベア８０とを備えている。
【００３７】
回転ドラム５０は、図５に示すように、円筒状をなし、モータ等の原動機からの動力を受けて、その外周面を形成する部材が水平軸回りを回転する。回転ドラム５０の内側（回転軸側）の非回転部分には内部を減圧可能な空間５６が形成されている。空間５６には、吸気ファン等の公知の排気装置（図示せず）が接続されており、該排気装置を作動させることにより、空間５６内を負圧に維持可能である。他方、回転ドラム５０の内側（回転軸側）の空間５７及び５８には、装置外の空気を取り込み可能な配管（図示せず）が接続されている。
【００３８】
図５に示すように、回転ドラム５０の外周面には、製造する吸収性コア４１の形状に対応する形状のドラム凹部５１が複数個、Ｒ１方向に等間隔を空けて形成されている。各ドラム凹部５１の底面部には、図６に示すように、多数の細孔が形成されたメッシュプレート５２と、金属製又は樹脂製の難通気性部材５３とが配されている。ここで、難通気性部材５３は、メッシュプレート５２上に突出するように設けられており、上述した溝部４４（横溝４４Ｘ，縦溝４４Ｙ）の形状及び位置に対応するように配されている。図６に示すように、このように配された難通気性部材５３により区画されたメッシュプレート５２のみからなる領域５４が、凸部４３に対応する部分となり、難通気性部材５３により区画された部分の外周全域におけるメッシュプレート５２のみからなる領域５５が、非ブロック領域４１２に対応する部分となる。また、ドラム凹部５１が形成されていない、回転ドラム５０の外周面の部分は、金属製の剛体からなる回転ドラム５０のフレーム体からなり、非通気性である。
【００３９】
ダクト６０は、図５に示すように、その一端側が、負圧に維持される空間５６上に位置する回転ドラム５０の外周面を覆っており、図示しない他端側には、繊維材料導入装置を有している。繊維材料導入装置は、例えば、シート状の木材パルプを粉砕して解繊パルプとし、その解繊したパルプ（繊維材料）をダクト内に送り込む粉砕器を備え、ダクト６０の途中に吸収ポリマーを導入する吸収ポリマー導入部を備えている。
【００４０】
トランスファーロール７０は、通気性を有する円筒状の外周部を有しており、モータ等の原動機からの動力を受けて、その外周部がＲ２方向に回転する。トランスファーロール７０の内側（回転軸側）の非回転部分には、内部を減圧可能な空間７１が形成されている。空間７１には、吸気ファン等の公知の排気装置（図示せず）が接続されており、該排気装置を作動させることにより、空間７１内を負圧に維持可能である。
【００４１】
バキュームボックス６５は、回転ドラム５０の回転方向Ｒ１において、ダクト６０の下流側端部６０１と、トランスファーロール７０との間に配置されている。バキュームボックス６５は、箱状の形状を有し、回転ドラム５０に対向する部位に、回転ドラム５０方向に向かって開口する開口部を有している。バキュームボックス６５は、排気管６７を介して、吸気ファン等の公知の排気装置（図示せず）が接続されており、該排気装置の作動により、バキュームボックス６５内を負圧に維持可能である。
【００４２】
メッシュベルト７５は、網目を有する帯状の通気性ベルトが無端状に連結されたものであり、複数のフリーロール及びトランスファーロール７０に案内されて所定の経路を連続的に移動する。メッシュベルト７５は、トランスファーロール７０の回転によって駆動される。メッシュベルト７５は、バキュームボックス６５の前記開口部の前を通過している間は、回転ドラム５０の外周面に接触しており、トランスファーロール７０と回転ドラム５０とが最も接近している最接近部付近で、回転ドラム５０の外周面から離れてトランスファーロール７０上へと移行する。
【００４３】
バキュームコンベア８０は、駆動ロール８１及び従動ロール８２に架け渡された無端状の通気性ベルト８３と、通気性ベルト８３を挟んでトランスファーロール７０と対向する位置に配されたバキュームボックス８４とを備えている。
【００４４】
次に、上述した吸収体の製造装置を用いて吸収体４（吸収性コア４１）を連続的に製造する方法について説明する。
先ず、回転ドラム５０内の空間５６、及びバキュームボックス６５内を、それぞれに接続された排気装置を作動させて負圧にする。このように、空間５６内を負圧にすることで、ダクト６０内に、吸収性材料４５を回転ドラム５０の外周面に搬送させる空気流が生じるからである。次に、回転ドラム５０及びトランスファーロール７０を回転させ、また、バキュームコンベア８０を作動させる。そして、前記繊維材料導入装置を作動させて、ダクト６０内に、解繊したパルプ（繊維材料）及び吸収ポリマーを供給する。これらの吸収性材料４５は、ダクト６０内を流れる空気流に乗り、飛散状態となって回転ドラム５０の外周面に向けて供給される。
【００４５】
ダクト６０に覆われた部分を搬送されている間に、回転ドラム５０のドラム凹部５１に、吸収性材料４５が吸引される。吸収性材料４５は、図７に示すように、ドラム凹部５１の各領域５４及び領域５５のメッシュプレート５２上に徐々に堆積する。こうして得られた堆積物４６においては、難通気性部材５３上に吸収性材料４５が堆積してなる部位（難通気性部材５３対応部）４６ａが、相対的に吸収性材料４５の堆積量が少なく、その他の部位（領域５４対応部）４６ｂ及び部位（領域５５対応部）４６ｃが、相対的に吸収性材料４５の堆積量が多くなっており、堆積物４６全体として凹凸のあるブロック構造を有するようになる。
【００４６】
そして、回転ドラム５０が回転して、ドラム凹部５１がバキュームボックス６５の対向位置にくると、ドラム凹部５１内の堆積物４６がバキュームボックス６５からの吸引によって、メッシュベルト７５に吸い付けられた状態となる。ドラム凹部５１内の堆積物４６は、その状態で、トランスファーロール７０と回転ドラム５０との最接近部の直前まで搬送され、該最接近部付近で、トランスファーロール７０側からの吸引により、メッシュベルト７５に吸い付けられた状態のままドラム凹部５１より離型し、トランスファーロール７０上へと移行する。
【００４７】
こうして、メッシュベルト７５と共にトランスファーロール７０上に移行したブロック構造を有する堆積物４６は、トランスファーロール７０上のメッシュベルト７５に吸着されたまま、バキュームコンベア８０との受け渡し部（トランスファーロール７０の最下端部）まで搬送され、該受け渡し部において、バキュームボックス８４による吸引によりバキュームコンベア８０上へと移行する。
【００４８】
本実施形態の吸収体の製造装置においては、図５に示すように、堆積物４６が載置される前のバキュームコンベア８０上に、ティッシュペーパーや親水性の不織布からなる被覆材４２が導入され、被覆材４２上に堆積物４６が移行する。そして、更に、折り返し板（図示せず）により被覆材４２が折られて堆積物４６を被覆材４２で包んだ後、被覆材４２で包まれた状態の堆積物４６を所定の間隔で切断して、吸収体１個分の寸法に切断された吸収体前駆体４９を連続的に製造する。
【００４９】
そして、本実施形態の吸収体の製造装置においては、こうして得られた吸収体前駆体４９を加圧手段９０によって圧縮し、吸収体前駆体４９を構成する堆積物４６の厚みを積極的に減少させて、目的とする吸収体４（吸収性コア４１）を得る。加圧手段９０は、図５に示すように、少なくとも一方の表面が平滑な一対のロール９１，９２を備え、ロール９１，９２間に導入された被加圧物を上下面から加圧して厚み方向に圧縮可能に構成されている。
【００５０】
加圧手段９０によって堆積物４６を圧縮すると、吸収性材料が相対的に多く厚みの大きい部位（領域５４対応部）４６ｂ及び部位（領域５５対応部）４６ｃは、吸収性材料４５が相対的に少なく厚みの小さい部位（難通気性部材５３対応部）４６ａよりも強く圧縮される。その結果、上述した製造装置を用いて製造された吸収体４（吸収性コア４１）においては、堆積物４６における部位（領域５４対応部）４６ｂ（凸部）及び部位（領域５５対応部）４６ｃが、吸収性コア４１において相対的に密度の高い凸部４３及び非ブロック領域４１２となり、堆積物４６における部位（難通気性部材５３対応部）４６ａ（凹部）が、吸収性コア４１において相対的に密度の低い溝部４４（横溝４４Ｘ，縦溝４４Ｙ）となる。
【００５１】
本実施形態の使い捨ておむつ１Ａの形成材料について説明する。
表面シート２、裏面シート３、立体ギャザー形成用シート６２としては、通常、使い捨ておむつ等の吸収性物品に用いられるものであれば、特に制限なく用いることができる。例えば、表面シート２としては、液透過性の不織布や、開孔フィルム、これらの積層体等を用いることができる。裏面シート３としては、樹脂フィルムや樹脂フィルムと不織布の積層体等を用いることができる。立体ギャザー形成用シート６２としては、伸縮性のフィルム、不織布、織物またはそれらの積層シート等を用いることができる。
ファスニングテープ７としては、通常、使い捨ておむつ等の吸収性物品に用いられるものであれば、特に制限なく用いることができる。例えば、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。
【００５２】
吸収体４を構成する吸収性コア４１としては、パルプ繊維等の繊維の集合体に吸収ポリマーの粒子を保持させたもの等を用いることができる。吸収体４を構成する被覆材４２としては、親水性シート、例えば、透水性の薄紙（ティッシュペーパー）や透水性の不織布からなるコアラップシート等を用いることができる。
立体ギャザー形成用の弾性部材６１及びレッグ弾性部材６３としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００５３】
接着剤５としては、通常、使い捨ておむつ等の吸収性物品に用いられるものであれば、特に制限なく用いることができ、例えば、ホットメルト接着剤を用いることができる。ホットメルト接着剤としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のブロックコポリマー系のホットメルト接着剤が挙げられる。
【００５４】
上述した本発明の第１実施形態の使い捨ておむつ１Ａを使用した際の作用効果について説明する。
おむつ１Ａは、図２，図４に示すように、相対的に坪量の高い凸部４３と相対的に坪量の低い溝部４４とからなるブロック領域４１１を有している。そのため、柔軟であり、着用者の身体の形状に沿い易くフィット性が向上する。また、溝部４４を排尿後の体液が流れることで拡散性が向上し、吸収性コア４１の吸収性を向上することができる。また、おむつ１Ａは、図２，図４に示すように、ブロック領域４１１の外周を囲む非ブロック領域４１２有しているので、吸収性コア側方部でゆっくりと体液を吸収することができ、繰り返して排尿があった後にも吸収性コア４１の吸収性を向上することができ、吸収性コア４１からの体液漏れを防止することができる。このように、おむつ１Ａは、ブロック領域４１１を有する吸収性コア４１を備えているので、使用中の体液の吸収性が向上し、吸収体全体の柔軟性が向上している。
【００５５】
また、おむつ１Ａは、図２，図４に示すように、吸収性コア４１の非ブロック領域４１２における非ブロック領域側部４１２ｓが、平面視して、非ブロック領域側部４１２ｓの背側部Ｂの面積が、非ブロック領域側部４１２ｓの股間部Ｃの面積よりも大きく形成されている。その為、着用時に比較的動きが少なく横方向（Ｘ方向）からの圧縮を受けにくい非ブロック領域側部４１２ｓの背側部Ｂに、体液を多く吸収でき、着用時に比較的動きの多く横方向からの圧縮を受けやすい非ブロック領域側部４１２ｓの股間部Ｃに、体液を多く吸収し過ぎないようになる。このように、着用時に着用者の動きによっても吸収性コア４１が壊れ難く、体液吸収後の吸収体の形状保持性が向上する。また股間部Ｃにおいてブロック領域４１１を増やすことにより柔軟性が向上して着用時に比較的動きの多い股間部の動きに追従しやすく吸収性コア４１が常に身体に沿って近くに存在するため尿などが排出されても受け止めやすく漏れにつながりにくくなる。そして股間部に多くのブロック領域４１１を有することで排出された液をすばやく背側部Ｂに送ることができる。
【００５６】
次に、本発明の第２実施形態である展開型の使い捨ておむつ１Ｂ（以下、「おむつ１Ｂ」とも言う。）について、図８，図９に基づいて説明する。
第２実施形態のおむつ１Ｂについては、第１実施形態のおむつ１Ａと異なる点について説明する。特に説明しない点は、おむつ１Ａと同様であり、おむつ１Ａの説明が適宜適用される。
【００５７】
おむつ１Ｂは、図８に示すように、いわゆる展開型のおむつであり、背側部Ｂの左右両側縁部に一対のファスニングテープ７，７が設けられ、一対のファスニングテープ７，７どうしの間に、ウエストギャザー形成用のウエスト部弾性部材６４がＸ方向に伸長状態に配されており、ウエスト部弾性部材６４の収縮によりウエストギャザーが形成されるようになっている。ウエスト部弾性部材６４としては、立体ギャザー形成用の弾性部材６１及びレッグ弾性部材６３と同様の伸縮性材料を用いることができる。
【００５８】
おむつ１Ｂの吸収性コア４１は、おむつ１Ａの吸収性コア４１と同様に、図８，図９に示すように、相対的に坪量が高い凸状の複数の凸部４３、及び各凸部４３を囲む相対的に坪量が低い溝部４４からなるブロック構造４００が腹側部Ａから背側部Ｂに亘って規則的に縦方向（Ｙ方向）及び横方向（Ｘ方向）に複数配されてブロック領域４１１を形成しているが、おむつ１Ｂのブロック領域４１１は、図９に示すように、ブロック領域４１１の腹側部Ａ及び背側部Ｂそれぞれの幅Ｗａ１，Ｗｂ１がブロック領域４１１の股間部Ｃの幅Ｗｃ１より広く形成されている。具体的に説明すると、おむつ１Ｂのブロック領域４１１は、おむつ１Ｂの腹側部Ａ側に配される腹側のブロック領域４１１ａ、おむつ１Ｂの背側部Ｂ側に配される背側のブロック領域４１１ｂ、腹側のブロック領域４１１ａと背側のブロック領域４１１ｂとの間に配される股間のブロック領域４１１ｃの３つに大別できる。そして、腹側のブロック領域４１１ａ及び背側のブロック領域４１１ｂが、それぞれ、図９に示すように、股間のブロック領域４１１ｃよりも幅方向（Ｘ方向）外方に延出している。腹側のブロック領域４１１ａの幅（ブロック領域４１１の腹側部４１１ａの幅Ｗａ１）と背側のブロック領域４１１ｂの幅（ブロック領域４１１の背側部４１１ｂの幅Ｗｂ１）とは同じである。
【００５９】
吸収性コア４１のブロック領域４１１について更に具体的に説明する。おむつ１Ｂにおいては、図９に示すように、背側のブロック領域４１１ｂは、縦溝４４Ｙ及び横溝４４Ｘで区画された凸部４３が、規則的に横方向（Ｘ方向）に５個配されたブロック構造が、規則的に縦方向（Ｙ方向）に４行配され、さらに凸部４３が、規則的に横方向（Ｘ方向）に３個配されたブロック構造が、規則的に縦方向（Ｙ方向）に３行配されて形成されている。また、図９に示すように、股間のブロック領域４１１ｃは、凸部４３が、規則的に横方向（Ｘ方向）に３個配されたブロック構造が、規則的に縦方向（Ｙ方向）に３行配されて形成されている。また、図９に示すように、腹側のブロック領域４１１ａは、縦溝４４Ｙ及び横溝４４Ｘで区画された凸部４３が、規則的に横方向（Ｘ方向）に３個配されたブロック構造が、規則的に縦方向（Ｙ方向）に１行配され、さらに凸部４３が、規則的に横方向（Ｘ方向）に５個配されたブロック構造が、規則的に縦方向（Ｙ方向）に４行配されて形成されている。おむつ１Ｂのブロック領域４１１においては、図９に示すように、６本の縦溝４４Ｙの中の４本が、それぞれ、腹側部Ａから背側部Ｂに亘って直線状に配されている。
【００６０】
おむつ１Ｂの吸収性コア４１は、上述のようなブロック領域４１１とブロック領域４１１の外周を囲む非ブロック領域４１２とを有しており、縦方向（Ｙ方向）中央部が内方に括れた形状に形成されている。具体的に説明すると、おむつ１Ｂの吸収性コア４１は、図９に示すように、腹側部Ａにおける全体の幅Ｗａが背側部Ｂにおける全体の幅Ｗｂよりも広く、股間部Ｃにおける全体の幅Ｗｃが最も狭くなっている。即ち、おむつ１Ｂの非ブロック領域４１２は、図９に示すように、腹側部Ａにおける両側縁及び背側部Ｂにおける両側縁それぞれが股間部Ｃにおける両側縁よりも横方向（Ｘ方向）外方に延出し、腹側部Ａにおける両側縁が背側部Ｂにおける両側縁それぞれよりも横方向（Ｘ方向）外方に延出している。従って、非ブロック領域４１２の非ブロック領域側部４１２ｓは、非ブロック領域側部４１２ｓの腹側部Ａの幅（腹側の非ブロック領域側部４１２ｓａの幅）が非ブロック領域側部４１２ｓの背側部Ｂの幅（背側の非ブロック領域側部４１２ｓｂの幅）よりも広くなっている。よって、おむつ１Ｂの非ブロック領域側部４１２ｓは、平面視して、非ブロック領域側部４１２ｓの背側部Ｂの面積（背側の非ブロック領域側部４１２ｓｂの面積）及び非ブロック領域側部４１２ｓの腹側部Ａの面積（腹側の非ブロック領域側部４１２ｓａの面積）それぞれが、非ブロック領域側部４１２ｓの股間部Ｃの面積（股間の非ブロック領域側部４１２ｓｃの面積）よりも大きく形成されている。
【００６１】
吸収性コア４１は、使い捨ておむつ１Ｂに用いられる場合においては、縦方向（Ｙ方向）の全長が２５０ｍｍ以上５５０ｍｍ以下であり、横方向（Ｘ方向）の全幅が５０ｍｍ以上２００ｍｍ以下であることが好ましい。
非ブロック領域４１２は、使い捨ておむつ１Ｂに用いられる場合においては、縦方向（Ｙ方向）の両端部それぞれの縦方向（Ｙ方向）の長さ（非ブロック領域端部４１２ｅａ，４１２ｅｂの幅）が、吸収性コア４１のＹ方向の全長の、１％以上、好ましくは２％以上の長さ、そして、２０％以下、好ましくは１０％以下の長さ、より具体的には、１％以上２０％以下の長さであることが好ましく、２％以上１０％以下の長さであることが更に好ましい。具体的に、非ブロック領域端部４１２ｅａ，４１２ｅｂの幅は、５ｍｍ以上８０ｍｍ以下であることが好ましい。非ブロック領域端部４１２ｅの幅は最も広い位置で測定した値である。
非ブロック領域４１２は、使い捨ておむつ１Ｂに用いられる場合においては、縦方向（Ｙ方向）に沿う両側部それぞれの横方向（Ｘ方向）の長さ（非ブロック領域側部４１２ｓの幅）が、腹側部Ａ（非ブロック領域側部４１２ｓａ）では、吸収性コア４１のＸ方向の全幅の、５％以上、好ましくは１５％以上の長さ、そして、３５％以下、好ましくは２５％以下の長さ、より具体的には、５％以上３５％以下の長さであることが好ましく、１５％以上２５％以下の長さであることが更に好ましい。また、非ブロック領域側部４１２ｓの幅が、股間部Ｃ（非ブロック領域側部４１２ｓｃ）では、吸収性コア４１のＸ方向の全幅の、５％以上、好ましくは１５％以上の長さ、そして、３５％以下、好ましくは２５％以下の長さ、より具体的には、５％以上３５％以下の長さであることが好ましく、１５％以上２５％以下の長さであることが更に好ましい。また、非ブロック領域側部４１２ｓの幅が、背側部Ｂ（非ブロック領域側部４１２ｓｂ）では、吸収性コア４１のＸ方向の全幅の、５％以上、好ましくは１５％以上の長さ、そして、３５％以下、好ましくは２５％以下の長さ、より具体的には、５％以上３５％以下の長さであることが好ましく、１５％以上２５％以下の長さであることが更に好ましい。具体的に、両側部それぞれの横方向の長さとして、腹側の非ブロック領域側部４１２ｓａの幅は、１０ｍｍ以上４０ｍｍ以下であることが好ましく、股間の非ブロック領域側部４１２ｓｃの幅は、１０ｍｍ以上３０ｍｍ以下であることが好ましく、背側の非ブロック領域側部４１２ｓｂの幅は、１０ｍｍ以上４０ｍｍ以下であることが好ましい。非ブロック領域側部４１２ｓの幅は最も広い位置で測定した値である。
使い捨ておむつ１Ｂに用いられる場合においては、腹側の非ブロック領域側部４１２ｓａの面積（両側部それぞれの面積）は、１０００ｍｍ2以上６０００ｍｍ2以下であることが好ましく、股間の非ブロック領域側部４１２ｓｃの面積（両側部それぞれの面積）は、５００ｍｍ2以上５０００ｍｍ2以下であることが好ましく、背側の非ブロック領域側部４１２ｓｂの面積（両側部それぞれの面積）は、１０００ｍｍ2以上６０００ｍｍ2以下であることが好ましい。
【００６２】
おむつ１Ｂの備える吸収体４も、おむつ１Ａの備える吸収体４と同様にして製造することができる。
【００６３】
上述した本発明の第２実施形態のおむつ１Ｂを使用した際の作用効果について説明する。
第２実施形態のおむつ１Ｂの効果については、第１実施形態のおむつ１Ａの効果と異なる点について説明する。特に説明しない点は、おむつ１Ａの効果と同様であり、おむつ１Ａの効果の説明が適宜適用される。
【００６４】
おむつ１Ｂは、図９に示すように、非ブロック領域側部４１２ｓの腹側部Ａの幅（腹側の非ブロック領域側部４１２ｓａの幅）が非ブロック領域側部４１２ｓの背側部Ｂの幅（背側の非ブロック領域側部４１２ｓｂの幅）よりも広くなっている。その為、着用者の背側は腹側に比べて複雑な形状となっているが、背側の非ブロック領域側部４１２ｓｂの幅を可能な限り狭くすることで、体型に沿わし易く、柔軟性を向上させることができると共に、腹側の非ブロック領域側部４１２ｓａの幅が最も広いので、吸収体４全体としての柔軟性が向上し体液の安定的な保持が可能となる。
【００６５】
また、おむつ１Ｂは、図９に示すように、ブロック領域４１１の腹側部Ａ及び背側部Ｂそれぞれの幅Ｗａ，Ｗｂがブロック領域４１１の股間部Ｃの幅Ｗｃより広く形成されているので、体液吸収後の比較的早い段階で横方向（Ｘ方向）に体液の拡散を進めることができ、その後ゆっくりと非ブロック領域４１２に体液を吸収することができる。従って、繰り返し行われる排尿に対して体液の移動拡散と体液の保持とを潤滑に行うことができる。
【００６６】
また、おむつ１Ｂの吸収性コア４１は、図９に示すように、腹側部Ａにおける全体の幅Ｗａが背側部Ｂにおける全体の幅Ｗｂよりも広く、ブロック領域４１１の腹側部Ａの幅Ｗａ１とブロック領域４１１の背側部Ｂの幅Ｗｂ１とが同じである。その為、体液吸収後の比較的早い段階で、腹側部Ａ及び背側部Ｂそれぞれの横方向（Ｘ方向）に体液の拡散を進めることができ、吸収体の効率を高めることができる。
【００６７】
上述した第１実施形態のおむつ１Ａにおいては、活動度の余り高くない乳児などに対して用いることができるように配慮されており股間部Ｃが大きく背側部Ｂで液保持性を高められるようにしてある。一方、第２実施形態のおむつ１Ｂにおいては、やや活動度が高くなった時期に用いることができるように配慮されており、股間部Ｃが小さく腹側部Ａおよび背側部Ｂに液保持性を持たせてある。さらにおむつ１Ｂにおいては着用者の臀部から背中にかけた形状より股間部の前部から立ち上がった腹側の形状の方が平坦な領域が多いことから、腹側部Ａの方が背側部Ｂに対して非ブロック領域側部４１２ｓａの幅が広くなるようにしてある。
【００６８】
本発明の吸収性物品は、上述の第１実施形態の使い捨ておむつ１Ａ、上述の第２実施形態の使い捨ておむつ１Ｂに何ら制限されるものではなく、適宜変更可能である。また、上述の第１〜第２実施形態のおむつ１Ａ〜１Ｂにおける各構成要件は、本発明の趣旨を損なわない範囲で、適宜組み合わせて実施できる。
【００６９】
例えば、上述のおむつ１Ａ，１Ｂにおいては、図２，図８に示すように、複数のブロック構造４００が、腹側部Ａから背側部Ｂに亘って規則的に縦方向（Ｙ方向）及び横方向（Ｘ方向）に連続して配されてブロック領域４１１を形成しているが、連続して配されていなくてもよい。また、上述のおむつ１Ａ，１Ｂの備える吸収体４の吸収性コア４１の代わりに、以下の吸収性コア４１Ａ，４１Ｂを備えていてもよい。図１０，１１に示す吸収性コア４１Ａ，４１Ｂに関し、特に説明しない点については、上述のおむつ１Ａ，１Ｂの備える吸収性コア４１に関して詳述した説明が適宜適用される。また、図１０及び図１１において、図４又は図９と同じ部材には同じ符号を付してある。
【００７０】
図１０に示す吸収性コア４１Ａは、ブロック領域４１１の形状が異なる以外、おむつ１Ｂの吸収性コア４１と同様である。吸収性コア４１Ａにおいては、図１０に示すように、背側のブロック領域４１１ｂは、縦溝４４Ｙ及び横溝４４Ｘで区画された凸部４３が規則的に横方向（Ｘ方向）に４個配されたブロック構造が、規則的に縦方向（Ｙ方向）に４行配され、さらに凸部４３が規則的に横方向（Ｘ方向）に３個配されたブロック構造が、規則的に縦方向（Ｙ方向）に３行配されて形成されている。また、図１０に示すように、股間のブロック領域４１１ｃは、凸部４３が規則的に横方向（Ｘ方向）に３個配されたブロック構造が、規則的に縦方向（Ｙ方向）に３行配されて形成されている。また、図１０に示すように、腹側のブロック領域４１１ａは、縦溝４４Ｙ及び横溝４４Ｘで区画された凸部４３が規則的に横方向（Ｘ方向）に３個配されたブロック構造が、規則的に縦方向（Ｙ方向）に１行配され、さらに凸部４３が規則的に横方向（Ｘ方向）に４個配されたブロック構造が、規則的に縦方向（Ｙ方向）に４行配されて形成されている。吸収性コア４１Ａのブロック領域４１１においては、図１０に示すように、何れの縦溝４４Ｙも、腹側部Ａから背側部Ｂに亘って直線状に配されていない。
【００７１】
図１１に示す吸収性コア４１Ｂは、ブロック領域４１１の形状が異なる以外、おむつ１Ｂの吸収性コア４１と同様である。吸収性コア４１Ｂにおいては、図１１に示すように、背側のブロック領域４１１ｂは、縦溝４４Ｙ及び横溝４４Ｘで区画された凸部４３が規則的に横方向（Ｘ方向）に５個配されたブロック構造が、規則的に縦方向（Ｙ方向）に３行配され、さらに凸部４３が規則的に横方向（Ｘ方向）に４個配されたブロック構造が、規則的に縦方向（Ｙ方向）に１行配され、さらにまた凸部４３が規則的に横方向（Ｘ方向）に３個配されたブロック構造が、規則的に縦方向（Ｙ方向）に３行配されて形成されている。また、図１１に示すように、股間のブロック領域４１１ｃは、凸部４３が規則的に横方向（Ｘ方向）に３個配されたブロック構造が、規則的に縦方向（Ｙ方向）に３行配されて形成されている。また、図１１に示すように、腹側のブロック領域４１１ａは、縦溝４４Ｙ及び横溝４４Ｘで区画された凸部４３が規則的に横方向（Ｘ方向）に３個配されたブロック構造が、規則的に縦方向（Ｙ方向）に１行配され、さらに凸部４３が規則的に横方向（Ｘ方向）に４個配されたブロック構造が、規則的に縦方向（Ｙ方向）に１行配され、さらにまた凸部４３が規則的に横方向（Ｘ方向）に５個配されたブロック構造が、規則的に縦方向（Ｙ方向）に３行配されて形成されている。吸収性コア４１Ｂのブロック領域４１１においては、図１１に示すように、何れの縦溝４４Ｙも、腹側部Ａから背側部Ｂに亘って直線状に配されていない。
【００７２】
また、上述のおむつ１Ａ，１Ｂにおいては、吸収性コア４１は、図３に示すように、非肌対向面側が凹凸構造となり肌対向面側が平坦となっているが、肌対向面側が凹凸構造となり非肌対向面側が平坦となっていてもよい。
【００７３】
また、上述のおむつ１Ａ，１Ｂにおいては、図２，図８に示すように、吸収体４を構成する吸収性コア４１の溝部４４が、横方向（Ｘ方向）に延びる線状の横溝４４Ｘと、縦方向（Ｙ方向）に延びる線状の縦溝４４Ｙとにより、全体として格子状に形成されているが、該格子状の形状に限定されるものではない。
【００７４】
また、上述のおむつ１Ａ，１Ｂは、図２，図８に示すように、展開型の使い捨ておむつであるが、パンツ型の使い捨ておむつでもよい。
【００７５】
上述した実施形態に関し、さらに以下の吸収性物品を開示する。
＜１＞肌対向面側に配された表面シートと、非肌対向面側に配された裏面シートと、これら両シート間に配された縦長の吸収体とを備えた吸収性物品であって、
前記吸収体は、吸収ポリマーを含む吸収性コアを有し、
前記吸収性コアは、相対的に坪量が高い凸状の複数の凸部及び各該凸部を囲む相対的に坪量が低い溝部からなるブロック構造が腹側部から背側部に亘って規則的に縦方向及び幅方向に複数配されたブロック領域と、該ブロック領域の外周を囲む非ブロック領域とを有しており、
前記非ブロック領域における前記ブロック領域の縦方向に沿う側縁よりも幅方向外方の非ブロック領域側部は、平面視して、該非ブロック領域側部の背側部又は腹側部の面積が、該非ブロック領域側部の股間部の面積よりも大きい吸収性物品。
【００７６】
＜２＞前記非ブロック領域側部は、平面視して、該非ブロック領域側部の背側部及び腹側部それぞれの面積が、該非ブロック領域側部の股間部の面積よりも大きい前記＜１＞に記載の吸収性物品。
＜３＞前記非ブロック領域側部は、該非ブロック領域側部の腹側部の幅が該非ブロック領域側部の背側部の幅よりも広い前記＜１＞又は＜２＞に記載の吸収性物品。
＜４＞前記ブロック領域は、該ブロック領域の腹側部及び背側部それぞれの幅が該ブロック領域の股間部の幅より広い前記＜１＞〜＜３＞の何れか１に記載の吸収性物品。
＜５＞前記ブロック領域の最外周を囲む前記溝部の角部が丸みを帯びている前記＜１＞〜＜４＞の何れか１に記載の吸収性物品。
＜６＞前記吸収性コアは該吸収性コアの腹側部の幅が該吸収性コアの背側部の幅よりも広く、前記ブロック領域は該ブロック領域の腹側部の幅と該ブロック領域の背側部の幅とが同じである前記＜１＞〜＜５＞の何れか１に記載の吸収性物品。
＜７＞前記吸収体は、前記吸収性コアを包む被覆材を有しており、
前記吸収性コアと前記被覆材とは接着剤を介して固定されており、
前記被覆材における前記吸収性コアの縦方向に沿う側縁よりも幅方向外方の被覆材側部は、該被覆材側部どうしが前記接着剤を介して固定されている前記＜１＞〜＜６＞の何れか１に記載の吸収性物品。
＜８＞前記溝部は、吸収性物品の縦方向に延びる複数の縦溝と横方向に延びる複数の横溝とからなり、
前記複数の横溝の内の１本は、前記吸収性物品を縦方向に２つ折りする際に形成される折り線と同じ位置に配されている前記＜１＞〜＜７＞の何れか１に記載の吸収性物品。
＜９＞前記吸収性コアの非肌対向面側が凹凸のあるブロック構造であり、該吸収性コアの肌対向面側が平坦である前記＜１＞〜＜８＞の何れか１に記載の吸収性物品。
＜１０＞前記吸収性物品は、股間部の左右両側縁が横方向内方に向かって円弧状に湾曲しており、全体として縦方向中央部が内方に括れた形状を有している前記＜１＞〜＜９＞の何れか１に記載の吸収性物品。
【００７７】
＜１１＞前記表面シートは、その横方向の寸法が、前記裏面シートの横方向の寸法より小さくなっている前記＜１＞〜＜１０＞の何れか１に記載の吸収性物品。
＜１２＞前記吸収性コアは、縦方向の全長が２５０ｍｍ以上５５０ｍｍ以下であり、横方向の全幅が５０ｍｍ以上２００ｍｍ以下である前記＜１＞〜＜１０＞の何れか１に記載の吸収性物品。
＜１３＞前記非ブロック領域は、縦方向の両端部それぞれの縦方向の長さが、前記吸収性コアの縦方向の全長の１％以上２０％以下の長さであるか、あるいは２％以上１０％以下の長さである前記＜１＞〜＜１２＞の何れか１に記載の吸収性物品。
＜１４＞前記溝部は、その密度が０．０５ｇ／ｃｍ3以上０．１５ｇ／ｃｍ3以下であるか、０．０７ｇ／ｃｍ3以上０．１３ｇ／ｃｍ3以下であり、また、前記凸部は、その密度が０．０５ｇ／ｃｍ3以上０．１５ｇ／ｃｍ3以下であるか、０．０７ｇ／ｃｍ3以上０．１３ｇ／ｃｍ3以下であり、前記非ブロック領域の密度は、該凸部密度と同様である前記＜１＞〜＜１３＞の何れか１に記載の吸収性物品。
＜１５＞前記吸収性物品は、展開型の使い捨ておむつである前記＜１＞〜＜１４＞の何れか１に記載の吸収性物品。
＜１６＞背側部の左右両側縁部に一対のファスニングテープが設けられ、腹側部の外表面に、該ファスニングテープを止着させるランディングテープが設けられている前記＜１５＞に記載の吸収性物品。
＜１７＞縦方向に沿う前記吸収性コアの両側縁において、最も内方に括れた位置を通る側縁どうしが略平行となっている部分を吸収性コアの股間部とし、該両側縁の間隔が、前記両側縁が最も近づいた位置での間隔の１．１倍より大きい前記ファスニングテープ側の領域を吸収性コアの背側部とし、該両側縁の間隔が該間隔の１．１倍より大きい前記ランディングテープ側の領域を吸収性コアの腹側部として区分する前記＜１６＞に記載の吸収性物品。
＜１８＞前記吸収性物品は、パンツ型使い捨ておむつである前記＜１＞〜＜１４＞の何れか１に記載の吸収性物品。
【符号の説明】
【００７８】
１Ａ，１Ｂ  使い捨ておむつ
２  表面シート
３  裏面シート
４  吸収体
４１  吸収性コア
４１Ｔ  吸収性コア４１の平坦な肌対向面
４１Ｕ  吸収性コア４１の凹凸構造の非肌対向面
４１１  ブロック領域
４１２  非ブロック領域
４１２ｓ  非ブロック領域側部
４１２ｓａ  腹側の非ブロック領域側部
４１２ｓｂ  背側の非ブロック領域側部
４１２ｓｃ  股間の非ブロック領域側部
４１２ｅ  非ブロック領域端部
４１２ｅａ  腹側の非ブロック領域端部
４１２ｅｂ  背側の非ブロック領域端部
４２  被覆材
４３  凸部
４４  溝部
４４Ｘ  横方向（Ｘ方向）に延びる線状の横溝
４４Ｙ  縦方向（Ｙ方向）に延びる線状の縦溝
５  接着剤
６  立体ギャザー
６１  立体ギャザー形成用の弾性部材
６２  立体ギャザー形成用シート
６３  レッグ弾性部材
６４  ウエスト部弾性部材
７  ファスニングテープ
８  ランディングテープ
９  空間
４５  吸収性材料
４６  堆積物
４９  吸収体前駆体
５０  回転ドラム
５１  ドラム凹部
５２  メッシュプレート
５３  難通気性部材
５４，５５  領域
６０  ダクト
６５  バキュームボックス
７０  トランスファーロール
７５  メッシュベルト
８０  バキュームコンベア
９０  加圧手段
Ａ  腹側部，Ｂ  背側部，Ｃ  股間部
ＣＬ  おむつの縦方向に延びる中心線
【図１】
0005670959.tif 000002
【図２】
0005670959.tif 000003
【図３】
0005670959.tif 000004
【図４】
0005670959.tif 000005
【図５】
0005670959.tif 000006
【図６】
0005670959.tif 000007
【図７】
0005670959.tif 000008
【図８】
0005670959.tif 000009
【図９】
0005670959.tif 000010
【図１０】
0005670959.tif 000011
【図１１】
0005670959.tif 000012